(57)【特許請求の範囲】
【請求項１】
オペレーティングシステムを有するキーボードデバイスであって、
ハウジングと、
前記ハウジングの外部から入力操作を実行するキーボード部分を有するとともに、ＰＣキーボードの形をするキーボードアセンブリと、
前記ハウジング内に設置される回路基板と、
前記回路基板に接続される表示出力インターフェースと、
前記回路基板に接続されると共に、前記キーボードアセンブリ及び表示出力インターフェースとの通信に適する内部オペレーティングシステムユニットと、
前記表示出力インターフェースに通信するシステム切替装置と、
を含み、
前記システム切替装置は、
前記内部オペレーティングシステムユニットとの通信に適する内部システムインターフェースと、
前記キーボードデバイスとは別の外部オペレーティングシステムユニットとの通信に適する外部システムインターフェースと、
切替操作部品と、
を有し、
前記内部システムインターフェース又は前記外部システムインターフェースは、前記切替操作部品の操作に応じて前記表示出力インターフェースに選択的に通信する、
キーボードデバイス。
【請求項２】
前記内部システムインターフェースが前記切替操作部品の操作に応じて前記表示出力インターフェースに接続して通信する場合、前記内部オペレーティングシステムユニットは作動し、前記内部システムインターフェースを介して前記表示出力インターフェースに通信し、前記キーボードデバイスは、前記外部オペレーティングシステムユニットからのビデオ信号が前記表示出力インターフェースに伝送されることをシールド又は遮断し、かつ前記内部オペレーティングシステムユニットの入力装置は少なくとも前記キーボード部分を含む、請求項１に記載のキーボードデバイス。
【請求項３】
前記内部オペレーティングシステムユニットは、前記外部オペレーティングシステムユニットからのデータの受信に適し、及び／又は、前記外部オペレーティングシステムユニットは、前記内部オペレーティングシステムユニットからのデータの受信に適する、請求項２に記載のキーボードデバイス。
【請求項４】
前記内部オペレーティングシステムユニットは、前記外部オペレーティングシステムユニットからのビデオ信号を受信し、かつ受信した前記外部オペレーティングシステムユニットからの前記ビデオ信号及び自己のビデオ信号を前記表示出力インターフェースを介して表示ユニットに送信して前記表示ユニットにおいて区分表示することに適する、請求項１に記載のキーボードデバイス。
【請求項５】
前記外部システムインターフェースが前記切替操作部品の操作に応じて前記表示出力インターフェースに接続して通信する場合、前記キーボードデバイスは、前記内部オペレーティングシステムユニットからのビデオ信号が前記表示出力インターフェースに伝送されることをシールド又は遮断し、かつ少なくとも前記キーボード部分は前記外部オペレーティングシステムユニットの入力装置とされる、請求項１に記載のキーボードデバイス。
【請求項６】
前記外部システムインターフェースが前記切替操作部品の操作に応じて前記表示出力インターフェースに接続して通信する場合、前記内部オペレーティングシステムユニットは作動状態にある、請求項５に記載のキーボードデバイス。
【請求項７】
出力インターフェースをさらに含み、
前記外部システムインターフェースが前記切替操作部品の操作に応じて前記表示出力インターフェースに接続して通信する場合、前記内部オペレーティングシステムユニットは前記出力インターフェースに信号を出力する、請求項６に記載のキーボードデバイス。
【請求項８】
前記出力インターフェースは、オーディオ出力インターフェースを含み、
前記外部システムインターフェースが前記切替操作部品の操作に応じて前記表示出力インターフェースに接続して通信する場合、前記内部オペレーティングシステムユニットは前記オーディオ出力インターフェースにオーディオ信号を出力する、請求項７に記載のキーボードデバイス。
【請求項９】
前記内部オペレーティングシステムユニットは前記外部オペレーティングシステムユニットからのデータの受信に適し、及び／又は、前記外部オペレーティングシステムユニットは前記内部オペレーティングシステムユニットからのデータの受信に適する、請求項６に記載のキーボードデバイス。
【請求項１０】
前記内部システムインターフェースが前記切替操作部品の操作に応じて前記表示出力インターフェースに接続して通信する場合、前記内部オペレーティングシステムユニットは作動し、前記内部システムインターフェースを介して前記表示出力インターフェースに通信し、前記キーボードデバイスは前記外部システムインターフェースを介して前記外部オペレーティングシステムユニットに信号を伝送することで、前記外部オペレーティングシステムユニットが前記表示出力インターフェースにビデオ信号を伝送することを阻止し、かつ前記内部オペレーティングシステムユニットの入力装置は少なくとも前記キーボード部分を含む、請求項１に記載のキーボードデバイス。
【請求項１１】
前記システム切替装置は、制御入力装置との接続に適する制御入力インターフェースをさらに含み、かつ
前記切替操作部品の操作に応じて、前記制御入力インターフェースと前記表示出力インターフェースとは、同時に、前記内部システムインターフェース及び前記外部システムインターフェースのうちの１つのインターフェースに通信する、請求項１〜１０のいずれか１項に記載のキーボードデバイス。
【請求項１２】
前記制御入力インターフェースは、マウス入力インターフェース及び／又はタッチパネル入力インターフェースを含む、請求項１１に記載のキーボードデバイス。
【請求項１３】
前記切替操作部品は、前記キーボードアセンブリにおける１つのキーである、請求項１〜１２のいずれか１項に記載のキーボードデバイス。
【請求項１４】
前記回路基板に接続されるオーディオ出力インターフェースをさらに含み、
前記内部オペレーティングシステムユニットは前記オーディオ出力インターフェースにオーディオ信号の出力に適する、請求項１〜１３のいずれか１項に記載のキーボードデバイス。
【請求項１５】
前記回路基板に接続されるマイクロフォン入力インターフェースをさらに含み、
前記内部オペレーティングシステムユニットは前記マイクロフォン入力インターフェースからの信号の受信に適する、請求項１〜１４のいずれか１項に記載のキーボードデバイス。
【請求項１６】
前記回路基板に接続される電源入力インターフェースをさらに含み、
前記電源入力インターフェースは前記キーボードデバイス内の電気部品に給電する、請求項１〜１５のいずれか１項に記載のキーボードデバイス。
【請求項１７】
前記回路基板に接続される無線アンテナをさらに含み、
前記無線アンテナは前記内部オペレーティングシステムユニットに通信する、請求項１〜１６のいずれか１項に記載のキーボードデバイス。
【請求項１８】
前記回路基板に接続される制御入力インターフェースをさらに含み、
前記制御入力インターフェースは、前記内部オペレーティングシステムユニットに通信し、かつ制御入力装置との接続に適する、請求項１に記載のキーボードデバイス。
【請求項１９】
前記制御入力インターフェースは、マウス入力インターフェース及び／又はタッチパネル入力インターフェースを含む、請求項１８に記載のキーボードデバイス。
【請求項２０】
前記回路基板に接続されるメモリユニットをさらに含む、請求項１〜１９のいずれか１項に記載のキーボードデバイス。
【請求項２１】
前記回路基板に接続される外部メモリデバイス読書きユニットをさらに含む、請求項１〜２０のいずれか１項に記載のキーボードデバイス。
【請求項２２】
前記内部オペレーティングシステムユニットは外部メモリ装置に予め設置されており、
前記外部メモリ装置は前記外部メモリデバイス読書きユニットに読み取られるのに適する、請求項２１に記載のキーボードデバイス。
【請求項２３】
前記内部オペレーティングシステムユニットにはアンドロイドオペレーティングシステム、ＩＯＳオペレーティングシステム、Ｌｉｎｕｘオペレーティングシステム、及びＴｉｚｅｎオペレーティングシステムのうちの１種がセットされている、請求項１〜２２のいずれか１項に記載のキーボードデバイス。
【請求項２４】
表示装置と、
請求項１、１４〜２２のいずれか１項に記載のキーボードデバイスと
を含み、
前記表示装置が前記表示出力インターフェースに通信する、コンピュータアセンブリ。
【請求項２５】
前記内部オペレーティングシステムユニットにはアンドロイドオペレーティングシステム、ＩＯＳオペレーティングシステム、Ｌｉｎｕｘオペレーティングシステム、及びＴｉｚｅｎオペレーティングシステムのうちの１種がセットされている、請求項２４に記載のコンピュータアセンブリ。
【請求項２６】
請求項１〜１３のいずれか１項に記載のキーボードデバイスと、
前記外部オペレーティングシステムユニットが取り付けられたＰＣ本体と、
前記表示出力インターフェースに通信する表示装置と
を含む、コンピュータアセンブリ。
【請求項２７】
前記内部オペレーティングシステムユニットにはアンドロイドオペレーティングシステム、ＩＯＳオペレーティングシステム、Ｌｉｎｕｘオペレーティングシステム、及びＴｉｚｅｎオペレーティングシステムのうちの１種がセットされている、請求項２６に記載のコンピュータアセンブリ。
【発明の詳細な説明】
【技術分野】
【０００１】
本発明の実施形態はコンピュータ分野に属し、特に、オペレーティングシステムを有するキーボードデバイス及びこのキーボードデバイスを有するコンピュータアセンブリに関する。
【背景技術】
【０００２】
従来、デスクトップパソコンは、生活、仕事、娯楽等の分野においてますます広く応用されるようになり、そのユーザ群の区画も細かくなってきた。多くのユーザにとって、デスクトップパソコンデバイスは、娯楽と仕事のニーズを満たすことができるが、デスクトップパソコンの設計の本意は、総合的な性能要求を満たすことであるため、以下の問題が存在している。
【０００３】
一．コストが高い。簡単なオフィスやワードプロセッシングだけでも、高価なコンピュータを必要とし、数千元ないし一万元以上の費用がかかる。
二．消費電力が高い。一般的には、デスクトップパソコンの消費電力が３００Ｗ以上であり、長期使用されるデスクトップパソコンは大量の電気エネルギーを消耗する。
三．操作が複雑である。電子製品に苦手な人にとって、コンピュータの操作はやや複雑である。
四．デスクトップパソコンは体積が大きく、配線が複雑であり、携帯性が悪い。移動して応用する必要がある場合、例えば、会議室でプレゼンし、ビデオ再生したり、ファイルなどの仕事を処理したりする場合、取付けが不便であり、空間上の制限が多い。
五、伝統的なデスクトップ向けのオペレーティングシステムと、主に携帯端末や通信デバイスに向ける端末オペレーティングシステムとを両立しかねる。
【発明の概要】
【発明が解決しようとする課題】
【０００４】
従来技術における上記課題のうちの少なくとも１つを解消するために、本発明を提出した。
【課題を解決するための手段】
【０００５】
本発明の一実施形態によるオペレーティングシステムを有するキーボードデバイスは、ハウジングと、前記ハウジングの外部から入力操作を実行するキーボード部分を有するとともに、ＰＣキーボードの形をするキーボードアセンブリと、前記ハウジング内に設置される回路基板と、前記回路基板に接続される表示出力インターフェースと、前記回路基板に接続されるとともに、前記キーボードアセンブリ及び表示出力インターフェースとの通信に適する内部オペレーティングシステムユニットとを含む。
【０００６】
選択的には、上記キーボードデバイスは、前記表示出力インターフェースに通信するシステム切替装置をさらに含み、前記システム切替装置は、前記内部オペレーティングシステムユニットとの通信に適する内部システムインターフェースと、前記キーボードデバイスとは別の外部オペレーティングシステムユニットとの通信に適する外部システムインターフェースと、切替操作部品とを有し、内部システムインターフェース又は外部システムインターフェースは、前記切替操作部品の操作に応じて表示出力インターフェースに選択的に通信する。
【０００７】
本発明の他の実施形態によるコンピュータアセンブリは、表示装置と、オペレーティングシステムを有するキーボードデバイスとを含み、キーボードデバイスは、ハウジングと、前記ハウジングの外部から入力操作を実行するキーボード部分を有するとともに、ＰＣキーボードの形をするキーボードアセンブリと、前記ハウジング内に設置される回路基板と、前記回路基板に接続され、表示装置に通信する表示出力インターフェースと、前記回路基板に接続されるとともに、前記キーボードアセンブリ及び表示出力インターフェースとの通信に適する内部オペレーティングシステムユニットとを含む。
【０００８】
本発明のさらなる実施形態によるコンピュータアセンブリは、表示装置と、外部オペレーティングシステムユニットが取り付けられたＰＣ本体と、オペレーティングシステムを有するキーボードデバイスとを有し、キーボードデバイスは、
ハウジングと、
前記ハウジングの外部から入力操作を実行するキーボード部分を有するとともに、ＰＣキーボードの形をするキーボードアセンブリと、
前記ハウジング内に設置される回路基板と、
前記回路基板に接続され、表示装置に通信する表示出力インターフェースと、
前記回路基板に接続されると共に、前記キーボードアセンブリ及び表示出力インターフェースとの通信に適する内部オペレーティングシステムユニットと、
前記表示出力インターフェースに通信するシステム切替装置とを含み、前記システム切替装置は、前記内部オペレーティングシステムユニットとの通信に適する内部システムインターフェースと、前記キーボードデバイスとは別の外部オペレーティングシステムユニットとの通信に適する外部システムインターフェースと、切替操作部品とを有し、内部システムインターフェース又は外部システムインターフェースは、前記切替操作部品の操作に応じて表示出力インターフェースに選択的に通信する。
【０００９】
本発明の実施形態又は従来技術における技術案をより明瞭に説明するために、実施形態又は従来技術の説明に用いられる図面を簡単に紹介する。下記で述べられた図面が本発明の実施形態の一部に過ぎないことは明らかである。当業者にとって、進歩性に値する労働を払わずに、これら図面から他の図面を得ることもできる。
【図面の簡単な説明】
【００１０】
【図１】本発明の一例示的実施形態によるオペレーティングシステムを有するキーボードデバイスの構成分解模式図である。
【図２】図１におけるオペレーティングシステムを有するキーボードデバイスの動作形態の模式図である。
【図３】本発明の別の一例示的実施形態によるオペレーティングシステムを有するキーボードデバイスの構成分解模式図である。
【図４】図３におけるオペレーティングシステムを有するキーボードデバイスの動作形態の模式図である。
【発明を実施するための形態】
【００１１】
以下、本発明の実施形態の図面を参照しながら本発明の実施形態中の技術案を明瞭、完全に説明する。記載している実施形態が本発明の実施形態の一部に過ぎず、全ての実施形態ではないことは明らかである。当業者が本発明中の実施形態に基づき、進歩性に値する労働を払わずに得られる全てのほかの実施形態も、本発明の保護の範囲に入る。
【００１２】
本発明によるオペレーティングシステムを有するキーボードデバイスは、ハウジングと、前記ハウジングの外部から入力操作を実行するキーボード部分を有するとともに、ＰＣのキーボードの形をするキーボードアセンブリと、前記ハウジング内に設置される回路基板と、前記回路基板に接続される表示出力インターフェースと、前記回路基板に接続されるとともに、前記キーボードアセンブリ及び表示出力インターフェースとの通信に適する内部オペレーティングシステムユニットとを含む。
【００１３】
以下、図１〜４を参照しながら、本発明によるオペレーティングシステムを有するキーボードデバイスを具体的に説明する。
【００１４】
図１は本発明の一例示的実施形態によるオペレーティングシステムを有するキーボードデバイスの構成分解模式図である。図１に示すように、キーボードデバイスは、少なくともキーボードアセンブリ２の一部を被覆するハウジング１を含むと共に、回路基板４及び入力インターフェース及び／又は出力インターフェースを含む。
【００１５】
キーボードアセンブリ２は、ＰＣ本体が用いる通常キーボードユニットであってもよい。言い換えれば、キーボードアセンブリ２はＰＣのキーボードの形をする。
【００１６】
回路基板４は内部オペレーティングシステムユニット（即ち処理ユニット）１１に接続され、内部オペレーティングシステムユニット１１は単体の処理ユニットであってもよく、ＣＰＵ、ＧＰＵ、ひいては内部メモリ、フラッシュメモリ、無線モジュール、ブルートゥースモジュール、オーディオモジュールなどを集積した総合プロセッサアセンブリであってもよい。当業者であれば分かるように、技術の発展・進歩につれて、内部オペレーティングシステムユニット１１が実行可能な機能や集積されるアセンブリは、より広範囲になる。内部オペレーティングシステムユニット１１は固定接続または挿接により回路基板４に実装される。
【００１７】
内部オペレーティングシステムユニット１１は、キーボードアセンブリ２、及び入力インターフェース及び／又は出力インターフェースに接続され、キーボードアセンブリ２から入力した情報を処理すると共に、入力インターフェースからの情報を受信・処理し、及び／又は、出力インターフェースに送信する。
【００１８】
前記入力インターフェースは、マイクロフォン入力インターフェース５、制御入力インターフェース６、又は前記キーボードデバイス内の電気部品に給電するための電源入力インターフェース８であってもよい。コンピュータ分野の通常設計としては、制御入力インターフェース６は、マウス及び／又はタッチパネル入力インターフェース等の入力デバイスにアクセスするためのＵＳＢインターフェースであってもよく、電源入力インターフェースはＵＳＢケーブルで給電するＵＳＢインターフェースであってもよい。
【００１９】
一方、前記出力インターフェースは、表示出力インターフェース７及びオーディオ出力インターフェース９のうちの１種以上である。そのうち、表示出力インターフェースは、ＶＧＡインターフェース、ＤＶＩインターフェース、ＨＤＭＩインターフェース及びＤＰインターフェースのうちの１種以上であってもよい。
【００２０】
このキーボードデバイスは、メモリユニットをさらに有してもよく、あるいは、外部メモリデバイス読書きユニット１０を有してもよい。本実施形態において、前記外部メモリデバイス読書きユニット１０は、ＳＤカードスロットである。
【００２１】
上記キーボードデバイスは、回路基板に接続される無線アンテナ１３（図２参照）をさらに含んでもよく、前記無線アンテナは、前記内部オペレーティングシステムユニットに通信する。
【００２２】
このキーボードデバイスを端末にするために、このキーボードデバイスに端末オペレーティングシステムが予め設置されており、あるいは、このキーボードデバイスは、外部メモリデバイスに予め設置された端末オペレーティングシステムにアクセスできる。
【００２３】
本実施形態において、前記オペレーティングシステムは、アンドロイドＡｎｄｒｏｉｄオペレーティングシステムである。当業者であれば分かるように、本発明はこれに限定されない。前記オペレーティングシステムは、ＩＯＳオペレーティングシステム、ｌｉｎｕｘオペレーティングシステム、Ｔｉｚｅｎオペレーティングシステム、又は、他のオペレーティングシステムであってもよい。
【００２４】
実際の必要に応じて、前記キーボードデバイスは、ユニバーサル・シリアル・バスＵＳＢ伝送インターフェース及びＵＳＢユニット、ブルートゥース伝送インターフェース及びブルートゥースユニット、高解像度マルチメディアインターフェースＨＤＭＩ伝送インターフェース及びＨＤＭＩユニット、無線伝送デバイス、通信接続デバイス、ならびに外部メモリデバイス読書きユニットのうちの１種以上を含む。
【００２５】
実際の必要に応じて、前記キーボードデバイスは、カメラ、シフトセンサ、温度センサ、ジャイロスコープ、指示ランプ、圧力センサ、及び指紋識別デバイスのうちの１種以上をさらに含む。
【００２６】
前記キーボードデバイスは、電気隔離セパレータ３をさらに含んでもよく、前記電気隔離セパレータ３は、少なくとも一部がハウジング１の内部に位置し、キーボードデバイスの全部又は一部の構成部品・ユニットの電気隔離を提供する。
【００２７】
また、図１に示すように、ハウジング１は底板１７をさらに有し、ハウジング１は底板１７とともにインテリジェント入力デバイスの全体的外観を構成している。
【００２８】
したがって、本発明は、処理機能を集積したとともに、ほかの周辺機器とデータ交換できるキーボードデバイスを提供し、高価でエネルギ消耗が高く、操作が複雑で携帯性が悪いなどの従来のデスクトップパソコンに存在している課題を解決し、使用が一層容易になる。
【００２９】
本発明のキーボードデバイスは、消費電力が低く、環境にやさしいという有益な効果をさらに有する。
【００３０】
本発明のキーボードデバイスは、十分な入力／出力インターフェース、及び他の機能性ユニットを提供しているため、よい拡張性を有する。これにより、このキーボードデバイスは、オフィス、娯楽、ネットサーフィン、教育、トレインなどの各面に容易に応用されることができる。
【００３１】
以下、図２を参照しながら本発明によるキーボードデバイスの具体的な動作形態を例示的に説明する。
【００３２】
ステップ１：キーボードデバイスを起動する。起動方式は、キーボードデバイスの電源をオンにすること、キーボードデバイスの起動キーを押すことなどの操作であってもよい。
【００３３】
ステップ２：キーボードデバイスの内部オペレーティングシステムユニット１１のオペレーティングシステムを検査して内部オペレーティングシステムを正常に起動する。上述の通り、この内部オペレーティングシステムは、メモリデバイス内部にセットされてもよく、外部メモリデバイスにセットされてもよい。かつ、前記内部オペレーティングシステムは、アンドロイドＡｎｄｒｏｉｄオペレーティングシステム、ＩＯＳオペレーティングシステム、Ｗｉｎｄｏｗｓシリーズオペレーティングシステム、Ｔｉｚｅｎオペレーティングシステム、又は他の類似オペレーティングシステムである。内部オペレーティングシステムユニット１１は以下の操作ステップ等を行うことができる。
【００３４】
１．内部オペレーティングシステムユニット１１は、ＨＤＭＩ-ＶＧＡ信号変換器１５によって表示信号を出力して入力信号を受信する；
２．内部オペレーティングシステムユニット１１は、表示出力インターフェース７へ表示出力を行う；
３．内部オペレーティングシステムユニット１１は、制御入力インターフェース６及び入力アセンブリ２の入力を受信する；
４．内部オペレーティングシステムユニット１１は、オーディオ出力インターフェース９へオーディオ出力を行う；
５．内部オペレーティングシステムユニット１１は、マイクロフォン入力インターフェース５のオーディオ入力を受信する；
６．内部オペレーティングシステムユニット１１は、外部メモリデバイス読書きユニット１０を読み取る；
７．内部オペレーティングシステムユニット１１は、無線アンテナ１３によって内部オペレーティングシステムユニット１１の無線信号を増幅する。
【００３５】
なお、上記ステップ２における各機能は、上記順に完全に従って実現される必要がなく、例えば、マイクロフォン入力インターフェース５からのオーディオ入力を先に受信してから、表示出力インターフェース７へ表示出力を行ってもよい。このような順序調整は、実際の応用に応じて変更されることができ、特に限定されない。
【００３６】
上記のキーボードデバイスを表示装置と組み合わせる場合、コンピュータアセンブリを形成することができる。このキーボードアセンブリにおける表示出力インターフェースは表示装置に接続される。
【００３７】
図３は本発明の別の例示的実施形態によるオペレーティングシステムを有するキーボードデバイスの構成分解模式図である。図４は図３におけるオペレーティングシステムを有するキーボードデバイスの動作形態の模式図である。図３〜図４におけるキーボードデバイスと図１〜図２におけるキーボードデバイスとの相違点は、主に、システム切替装置１４及び外部システムインターフェース１２にある。本発明において、同じ符号は同じ又は類似する部品を表す。言い換えれば、図１〜図２に基づくキーボードデバイスの相応記載は、図３〜図４に示すキーボードデバイスに適用されることもできる。
【００３８】
図３におけるキーボードデバイスにはシステム切替装置１４が設置されており（図４参照）、前記システム切替装置は、前記表示出力インターフェース７に通信し、かつ、前記内部オペレーティングシステムユニットとの通信に適する内部システムインターフェース（明確に図示していないが、内部オペレーティングシステムユニット１１とシステム切替装置１４に対応するインターフェースである）と、前記キーボードデバイスとは別の外部オペレーティングシステムユニット１６との通信に適する外部システムインターフェース１２（図３及び図４参照）と、切替操作部品１４２とを有し、前記切替操作部品１４２の操作に応じて、内部システムインターフェース又は外部システムインターフェース１２は、表示出力インターフェース７に選択的に通信する。
【００３９】
外部システムインターフェース１２は、回路基板４におけるインターフェースであり、外部オペレーティングシステムユニット１６、例えばＰＣ本体からのビデオ信号を入力し、かつ外部オペレーティングシステムユニット１６の制御ポートに接続するものであり、例えばＶＧＡインターフェース及びＵＳＢインターフェースであっても良い。キーボードデバイスを外部オペレーティングシステムユニット１６、例えばＰＣ本体のキーボードとする場合、前記キーボードデバイスは、ユーザからの入力を受信し、かつ外部システムインターフェース１２を介して外部オペレーティングシステムユニット１６、例えばＰＣ本体にデータを伝送し、かつ外部システムインターフェース１２を介して外部オペレーティングシステムユニット１６、例えばＰＣ本体から入力されたビデオ信号を受信する。
【００４０】
内部システムインターフェースが切替操作部品１４２の操作に応じて表示出力インターフェース７に接続して通信する場合、内部オペレーティングシステムユニット１１は作動し、内部システムインターフェースを介して表示出力インターフェース７に通信し、キーボードデバイスは、外部オペレーティングシステムユニット１６、例えばＰＣ本体からのビデオ信号が表示出力インターフェース７に伝送されることをシールド又は遮断し、かつ内部オペレーティングシステムユニット１１の入力装置は少なくとも前記キーボード部分を含み、キーボードデバイスは、外部オペレーティングシステムユニット１６、例えばＰＣ本体からのオーディオ信号がオーディオ出力インターフェース７に伝送されることをシールド又は遮断することもできる。前記内部システムインターフェースが切替操作部品１４２の操作に応じて表示出力インターフェース７に接続して通信する場合、キーボードデバイスは、端末作動モードにあり、即ち、このとき、キーボードデバイスをホストコンピュータとして直接用いることができ、出力インターフェース（例えば表示出力インターフェース７、オーディオ出力インターフェース９）を介して外部デバイス（例えば表示装置、ヘッドセット）に信号を伝送することができる。
【００４１】
端末作動モードにおいて、キーボードデバイスは、外部オペレーティングシステムユニット１６からのビデオ信号が表示出力インターフェース７に伝送されることをシールド又は遮断するが、キーボードデバイスは、依然として、内部オペレーティングシステムユニット１１と前記外部オペレーティングシステムユニット１６とのデータ交換を許容する。
【００４２】
また、キーボードデバイスは、外部オペレーティングシステムユニット１６、例えばＰＣ本体が外部デバイスに信号を伝送することをシールド又は遮断せずに、外部オペレーティングシステムユニット１６と外部デバイスをシェアしてもよい。
【００４３】
一実施形態において、内部オペレーティングシステムユニット１１と外部オペレーティングシステムユニット１６は、表示装置をリアルタイムにシェアすることができる。具体的には、前記内部オペレーティングシステムユニット１１は、外部オペレーティングシステムユニット１６からのビデオ信号を受信し、かつ受信した外部オペレーティングシステムユニット１６からのビデオ信号及び自己のビデオ信号を前記表示出力インターフェース７を介して表示ユニット１８に送信して表示ユニットにおいて区分表示することに適する。
【００４４】
前記外部システムインターフェース１２が前記切替操作部品１４２の操作に応じて前記表示出力インターフェース７に接続して通信する場合、キーボードデバイスは、内部オペレーティングシステムユニット１１からのビデオ信号が前記表示出力インターフェース７に伝送されることをシールド又は遮断し、かつ少なくとも前記キーボード部分は前記外部オペレーティングシステムユニットの入力装置とされる。このとき、キーボードデバイスは、外部オペレーティングシステムユニット１６の入力デバイスとして使用され、この作動モードは、キーボードデバイスの通常入力デバイスモードである。
【００４５】
しかし、前記外部システムインターフェース１２が前記切替操作部品１４２の操作に応じて前記表示出力インターフェース７に接続して通信する場合、内部オペレーティングシステムユニット１１は依然として作動可能である。このように、切替操作部品１４２の操作に応じてシステムを外部オペレーティングシステムから内部オペレーティングシステムに切り替えると、外部オペレーティングシステムユニット１６又は内部オペレーティングシステムユニット１１からのビデオ情報を表示装置に表示させることができ、即ち、外部オペレーティングシステムユニット１６又は内部オペレーティングシステムユニット１１が表示装置を時間帯別にシェアすることを実現できる。
【００４６】
キーボードデバイスは、出力インターフェースを含んでもよい。前記外部システムインターフェース１２が前記切替操作部品１４２の操作に応じて前記表示出力インターフェース７に接続して通信する場合、前記内部オペレーティングシステムユニット１１は前記出力インターフェースに信号を出力する。具体的には、前記出力インターフェースはオーディオ出力インターフェース９を含む。前記外部システムインターフェース１２が前記切替操作部品１４２の操作に応じて前記表示出力インターフェース７に接続して通信する場合、前記内部オペレーティングシステムユニット１１は前記オーディオ出力インターフェース９にオーディオ信号を出力する。このように、キーボードデバイスの兼用作動モードを実現することができる。システム切替装置を有するキーボードデバイスの異なる動作モードは、上記の兼用作動モードを含む。兼用作動モードにおいて、前記キーボードデバイスは、通常入力デバイスモードの機能を実行し、かつ内部オペレーティングシステムユニット１１が出力インターフェースを介して少なくとも一部の周辺機器に信号を伝送する。例えば、前記兼用作動モードにおいて、外部オペレーティングシステムユニット１６、例えばＰＣ本体は表示装置の制御権を有し、キーボードデバイスを外部オペレーティングシステムユニット１６、例えばＰＣ本体の通常入力デバイスとして使用することが可能であり、同時に、外部デバイスの一部に信号を伝送する能力を保留し、例えば、オーディオ出力インターフェース９を介してヘッドセットに音声信号を伝送し続けることが可能である。本発明では、さまざまな需要に応じて複数種の周辺機器を設置することが可能であるため、兼用作動モードでのキーボードデバイスに対し、ユーザ需要に応じて、前記キーボードデバイスがどの外部デバイスに信号を伝送するかを設定することが可能である。
【００４７】
類似的には、前記外部システムインターフェース１２が前記切替操作部品１４２の操作に応じて前記表示出力インターフェース７に接続して通信する場合、前記内部オペレーティングシステムユニット１１は外部オペレーティングシステムユニット１６とのデータ交換に適される。
【００４８】
一実施形態において、通常入力デバイス作動モード又は兼用作動モードでは、外部オペレーティングシステムユニット１６、例えばＰＣ本体は、外部システムインターフェース１２を介して前記キーボードデバイスにビデオ信号を伝送し、前記キーボードデバイスは、表示出力インターフェース７を介して外部オペレーティングシステムユニット１６から伝送してきたビデオ信号を表示装置に送信する。前記キーボードデバイスが端末作動モードにある場合、前記キーボードデバイスは、外部システムインターフェース１２を介して外部オペレーティングシステムユニット１６に信号を伝送し、外部オペレーティングシステムユニット１６から伝送してきたビデオ信号を遮断し、内部オペレーティングシステムユニット１１（ＣＰＵ及びＧＰＵを含むことが可能）によって処理されたビデオ信号を表示出力インターフェース７を介して表示装置に送信し、キーボードデバイスが表示装置の制御権を独占する。
【００４９】
あるいは、前記キーボードデバイスが端末作動モードにある場合、前記キーボードデバイスは、外部システムインターフェース１２を介して外部オペレーティングシステムユニット１６から伝送してきたビデオ信号を受信し、かつ、内部オペレーティングシステムユニット１１（ＣＰＵ及びＧＰＵを含むことが可能）によって処理されたビデオ信号、並びに、外部オペレーティングシステムユニット１６から出力してきたビデオ信号を、表示出力インターフェース７を介して表示装置に送信し、表示装置では、異なるビデオ信号を異なる領域毎に表示させることができる。キーボードデバイスと外部オペレーティングシステムユニット１６は表示装置をシェアする。
【００５０】
一実施形態において、外部オペレーティングシステムユニット１６と表示装置との間にはデータ伝送経路が別途存在しており、通常入力デバイス作動モード又は兼用作動モードでは、外部オペレーティングシステムユニット１６は表示装置との間のデータ伝送経路を介して表示装置にビデオ信号を伝送する。外部システムインターフェース１２は、キーボードデバイスから外部オペレーティングシステムユニット１６へのデータの伝送のみを担当し、キーボードデバイスは、表示出力インターフェース７を介してデータを表示装置に発信しない。前記キーボードデバイスが端末作動モードにある場合、前記キーボードデバイスは、外部システムインターフェース１２によって、外部オペレーティングシステムユニット１６が表示装置にビデオ信号を伝送することを遮断し、内部オペレーティングシステムユニット１１（ＣＰＵ及びＧＰＵを含むことが可能）によって処理されたビデオ信号を表示出力インターフェース７を介して表示装置に送信し、キーボードデバイスは表示装置の制御権を独占する。
【００５１】
図３及び図４に示した例示的実施形態において、システム切替装置１４は、制御入力装置２０との接続に適される制御入力インターフェース６をさらに含む。かつ前記切替操作部品１４２の操作に応じて、前記制御入力インターフェース６と前記表示出力インターフェース７とは、同時に、内部システムインターフェース及び外部システムインターフェース１２のうちの１つのインターフェースに通信する。選択的には、前記制御入力インターフェース６は、マウス入力インターフェース及び／又はタッチパネル入力インターフェースを含む。このように、外部オペレーティングシステムに切り替えても内部オペレーティングシステムに切り替えても、同じ制御入力装置２０、例えばマウスを使用することができる。
【００５２】
本発明の例示的実施形態において、前記切替操作部品１４２はキーボードアセンブリにおける１つのキーであってもよい。キーボード上の、もとからあるキーを切替操作部品として使用してもよく、キーボードに機能キーを追加して切替操作部品として使用してもよい。
【００５３】
したがって、本発明は、切替可能モードを有するキーボードデバイスを提供するものであり、このキーボードデバイスは、携帯型端末オペレーティングシステムを予め設置することができるとともに、予め設置された携帯型端末オペレーティングシステムとデスクトップオペレーティングシステムとの間で切り替えることができる。よって、従来の伝統的なデスクトップオペレーティングシステムと携帯型端末オペレーティングシステムを両立しかね、コストが高く、消費電力が高く、操作が複雑である課題を解決し得る。
【００５４】
本発明によれば、上記技術案を用いることで、ユーザはキーボードデバイスをフレキシブルに配置することができる。ユーザがＰＣ業務を処理する必要がある場合、キーボードデバイスを通常デバイスとして使用し、キーボードデバイスが通常デバイス作動モードにある。ユーザが携帯型端末を使用する必要がある場合、キーボードデバイスを携帯型端末として使用し、キーボードデバイスが携帯型端末作動モードにある。ユーザにとって両者を両立させる必要がある場合、キーボードデバイスが兼用作動モードにあり、通常デバイスとして使用可能であるし、携帯型端末の一部の機能を発揮することもできる。非常にフレキシブルであるとともに、ユーザの費用を節約することもできる。本発明のキーボードデバイスは、消費電力が低く、環境にやさしく、使用が簡単である有益な効果をさらに奏する。
【００５５】
以下、図４を参照しながら本発明によるシステム切替装置を有するキーボードデバイスの具体的な動作形態を例示的に説明する。
【００５６】
ステップ１、キーボードデバイスを起動する。起動方式は、キーボードデバイスの電源をオンにすること、キーボードデバイスの起動キーを押すことなどの操作であってもよい。
【００５７】
ステップ２、キーボードデバイスの内部オペレーティングシステムユニット１１のオペレーティングシステムを検査して内部オペレーティングシステムを正常に起動する。上述の通り、この内部オペレーティングシステムは、メモリデバイス内部にセットされてもよく、外部メモリデバイスにセットされてもよい。かつ、前記内部オペレーティングシステムは、アンドロイドＡｎｄｒｏｉｄオペレーティングシステム、ＩＯＳオペレーティングシステム、ｌｉｎｕｘオペレーティングシステム、Ｔｉｚｅｎオペレーティングシステム、又は他の類似オペレーティングシステムである。内部オペレーティングシステムユニット１１は以下の操作ステップ等を行うことができる。
【００５８】
内部オペレーティングシステムユニット１１は、ＨＤＭＩ-ＶＧＡ信号変換器１５によって表示信号及び制御信号をシステム切替装置１４に伝達する；
内部オペレーティングシステムユニット１１は、表示出力インターフェース７へ表示出力を行う；
内部オペレーティングシステムユニット１１は、制御入力インターフェース６の入力を受信する；
内部オペレーティングシステムユニット１１は、オーディオ出力インターフェース９へオーディオ出力を行う；
内部オペレーティングシステムユニット１１は、マイクロフォン入力インターフェース５のオーディオ入力を受信する；
内部オペレーティングシステムユニット１１は、外部メモリデバイス読書きユニット１０を読み取る；
内部オペレーティングシステムユニット１１は、無線アンテナ１３によって内部オペレーティングシステムユニット１１の無線信号を増幅する。
【００５９】
ステップ３：切替操作部品１４２を操作し、例えば、手動切替スイッチ又は赤外線リモート切替器を押し、システム切替装置１４が現在に接続している内部オペレーティングシステムユニット１１の入力信号及び出力信号を外部オペレーティングシステムユニット１６、例えばＰＣ本体の入力信号及び出力信号に変換し、このとき、以下の操作ステップ等を行うことができる。
【００６０】
内部オペレーティングシステムユニット１１は、表示出力インターフェース７への表示出力を停止し、内部オペレーティングシステムユニット１１は、制御入力インターフェース６及び他の外部入力デバイスからの情報入力の受信を停止する；
外部オペレーティングシステムユニット１６は、制御入力インターフェース６を介してマウス及び他の外部入力デバイスからの制御を受信する；
内部オペレーティングシステムユニット１１は、オーディオ出力インターフェース９へオーディオ出力を行い続ける；
内部オペレーティングシステムユニット１１は、マイクロフォン入力インターフェース５からのオーディオ入力を受信し続ける。
【００６１】
ステップ４：切替操作部品１４２を再度操作し、キーボードデバイスの作動モードをデバイス作動モードに変更し、即ち、前記内部オペレーティングシステムユニット１１は作動して前記表示出力インターフェース７に通信し、キーボードデバイスは、外部オペレーティングシステムユニット１６からのビデオ信号が前記表示出力インターフェース７に伝送されることをシールド又は遮断する。
【００６２】
なお、上記のステップ２、ステップ３における各機能は、上記順に完全に従って実現される必要がなく、例えば、マイクロフォン入力インターフェース５からのオーディオ入力を先に受信してから、表示出力インターフェース７へ表示出力を行ってもよい。このような順序調整は、実際の応用に応じて変更されることができ、特に限定されない。
【００６３】
本発明の例示的実施形態において、ハウジングは、少なくともキーボードアセンブリの一部を被覆することができる。
【００６４】
システム切替装置を有するキーボードデバイスは、表示装置とともにコンピュータアセンブリを構成してもよい。この場合、このコンピュータアセンブリは、システム切替装置を有する上記キーボードデバイスと、前記外部オペレーティングシステムユニットが取り付けられたＰＣ本体と、前記表示出力インターフェースに通信する表示装置とを含む。
【００６５】
上記内容は、本発明の具体的な実施の形態に過ぎず、本発明の保護範囲はこれに限定されない。本分野の技術を熟知する当業者であれば、本発明に開示された技術範囲から容易に想到し得る変更や切替も、本発明の保護範囲内に含まれる。したがって、本発明の保護範囲は特許請求の範囲に準ずる。
［発明の項目］
［項目１］
ハウジングと、
前記ハウジングの外部から入力操作を実行するキーボード部分を有するとともに、ＰＣキーボードの形をするキーボードアセンブリと、
前記ハウジング内に設置される回路基板と、
前記回路基板に接続される表示出力インターフェースと、
前記回路基板に接続されると共に、前記キーボードアセンブリ及び表示出力インターフェースとの通信に適する内部オペレーティングシステムユニットと
を含む、オペレーティングシステムを有するキーボードデバイス。
［項目２］
前記表示出力インターフェースに通信するシステム切替装置をさらに含み、
前記システム切替装置は、
前記内部オペレーティングシステムユニットとの通信に適する内部システムインターフェースと、
前記キーボードデバイスとは別の外部オペレーティングシステムユニットとの通信に適する外部システムインターフェースと、
切替操作部品と
を有し、
内部システムインターフェース又は外部システムインターフェースは、前記切替操作部品の操作に応じて表示出力インターフェースに選択的に通信する、項目１に記載のキーボードデバイス。
［項目３］
前記内部システムインターフェースが前記切替操作部品の操作に応じて前記表示出力インターフェースに接続して通信する場合、前記内部オペレーティングシステムユニットは作動し、内部システムインターフェースを介して前記表示出力インターフェースに通信し、前記キーボードデバイスは、外部オペレーティングシステムユニットからのビデオ信号が前記表示出力インターフェースに伝送されることをシールド又は遮断し、かつ前記内部オペレーティングシステムユニットの入力装置は少なくとも前記キーボード部分を含む、項目２に記載のキーボードデバイス。
［項目４］
前記内部オペレーティングシステムユニットは、前記外部オペレーティングシステムユニットからのデータの受信に適し、及び／又は、外部オペレーティングシステムユニットは、内部オペレーティングシステムユニットからのデータの受信に適する、項目３に記載のキーボードデバイス。
［項目５］
前記内部オペレーティングシステムユニットは、外部オペレーティングシステムユニットからのビデオ信号を受信し、かつ受信した外部オペレーティングシステムユニットからのビデオ信号及び自己のビデオ信号を前記表示出力インターフェースを介して表示ユニットに送信して表示ユニットにおいて区分表示することに適する、項目２に記載のキーボードデバイス。
［項目６］
前記外部システムインターフェースが前記切替操作部品の操作に応じて前記表示出力インターフェースに接続して通信する場合、前記キーボードデバイスは、内部オペレーティングシステムユニットからのビデオ信号が前記表示出力インターフェースに伝送されることをシールド又は遮断し、かつ少なくとも前記キーボード部分は前記外部オペレーティングシステムユニットの入力装置とされる、項目２に記載のキーボードデバイス。
［項目７］
前記外部システムインターフェースが前記切替操作部品の操作に応じて前記表示出力インターフェースに接続して通信する場合、前記内部オペレーティングシステムユニットは作動状態にある、項目６に記載のキーボードデバイス。
［項目８］
出力インターフェースをさらに含み、
前記外部システムインターフェースが前記切替操作部品の操作に応じて前記表示出力インターフェースに接続して通信する場合、前記内部オペレーティングシステムユニットは前記出力インターフェースに信号を出力する、項目７に記載のキーボードデバイス。
［項目９］
前記出力インターフェースは、オーディオ出力インターフェースを含み、
前記外部システムインターフェースが前記切替操作部品の操作に応じて前記表示出力インターフェースに接続して通信する場合、前記内部オペレーティングシステムユニットは前記オーディオ出力インターフェースにオーディオ信号を出力する、項目８に記載のキーボードデバイス。
［項目１０］
前記内部オペレーティングシステムユニットは前記外部オペレーティングシステムユニットからのデータの受信に適し、及び／又は、外部オペレーティングシステムユニットは内部オペレーティングシステムユニットからのデータの受信に適する、項目７に記載のキーボードデバイス。
［項目１１］
前記内部システムインターフェースが前記切替操作部品の操作に応じて前記表示出力インターフェースに接続して通信する場合、前記内部オペレーティングシステムユニットは作動し、内部システムインターフェースを介して前記表示出力インターフェースに通信し、前記キーボードデバイスは外部システムインターフェースを介して外部オペレーティングシステムユニットに信号を伝送することで、外部オペレーティングシステムユニットが前記表示出力インターフェースにビデオ信号を伝送することを阻止し、かつ前記内部オペレーティングシステムユニットの入力装置は少なくとも前記キーボード部分を含む、項目２に記載のキーボードデバイス。
［項目１２］
前記システム切替装置は、制御入力装置との接続に適する制御入力インターフェースをさらに含み、かつ
前記切替操作部品の操作に応じて、前記制御入力インターフェースと前記表示出力インターフェースとは、同時に、内部システムインターフェース及び外部システムインターフェースのうちの１つのインターフェースに通信する、項目２〜１１のいずれか１項に記載のキーボードデバイス。
［項目１３］
前記制御入力インターフェースは、マウス入力インターフェース及び／又はタッチパネル入力インターフェースを含む、項目１２に記載のキーボードデバイス。
［項目１４］
前記切替操作部品は、キーボードアセンブリにおける１つのキーである、項目２〜１３のいずれか１項に記載のキーボードデバイス。
［項目１５］
回路基板に接続されるオーディオ出力インターフェースをさらに含み、
前記内部オペレーティングシステムユニットは前記オーディオ出力インターフェースにオーディオ信号の出力に適する、項目１〜１４のいずれか１項に記載のキーボードデバイス。
［項目１６］
回路基板に接続されるマイクロフォン入力インターフェースをさらに含み、
前記内部オペレーティングシステムユニットは前記マイクロフォン入力インターフェースからの信号の受信に適する、項目１〜１５のいずれか１項に記載のキーボードデバイス。
［項目１７］
回路基板に接続される電源入力インターフェースをさらに含み、
前記電源入力インターフェースは前記キーボードデバイス内の電気部品に給電する、項目１〜１６のいずれか１項に記載のキーボードデバイス。
［項目１８］
回路基板に接続される無線アンテナをさらに含み、
前記無線アンテナは前記内部オペレーティングシステムユニットに通信する、項目１〜１７のいずれか１項に記載のキーボードデバイス。
［項目１９］
回路基板に接続される制御入力インターフェースをさらに含み、
前記制御入力インターフェースは、前記内部オペレーティングシステムユニットに通信し、かつ制御入力装置との接続に適する、項目１に記載のキーボードデバイス。
［項目２０］
前記制御入力インターフェースは、マウス入力インターフェース及び／又はタッチパネル入力インターフェースを含む、項目１９に記載のキーボードデバイス。
［項目２１］
回路基板に接続されるメモリユニットをさらに含む、項目１〜２０のいずれか１項に記載のキーボードデバイス。
［項目２２］
回路基板に接続される外部メモリデバイス読書きユニットをさらに含む、項目１〜２１のいずれか１項に記載のキーボードデバイス。
［項目２３］
前記内部オペレーティングシステムユニットは外部メモリ装置に予め設置されており、
前記外部メモリ装置は前記外部メモリデバイス読書きユニットに読み取られるのに適する、項目２２に記載のキーボードデバイス。
［項目２４］
前記内部オペレーティングシステムユニットにはアンドロイドオペレーティングシステム、ＩＯＳオペレーティングシステム、Ｌｉｎｕｘオペレーティングシステム、及びＴｉｚｅｎオペレーティングシステムのうちの１種がセットされている、項目１〜２３のいずれか１項に記載のキーボードデバイス。
［項目２５］
表示装置と、
項目１、１５〜２３のいずれか１項に記載のオペレーティングシステムを有するキーボードデバイスと
を含み、
表示装置が前記表示出力インターフェースに通信する、コンピュータアセンブリ。
［項目２６］
前記内部オペレーティングシステムユニットにはアンドロイドオペレーティングシステム、ＩＯＳオペレーティングシステム、Ｌｉｎｕｘオペレーティングシステム、及びＴｉｚｅｎオペレーティングシステムのうちの１種がセットされている、項目２５に記載のコンピュータアセンブリ。
［項目２７］
項目２〜１４のいずれか１項に記載のオペレーティングシステムを有するキーボードデバイスと、
前記外部オペレーティングシステムユニットが取り付けられたＰＣ本体と、
前記表示出力インターフェースに通信する表示装置と
を含む、コンピュータアセンブリ。
［項目２８］
前記内部オペレーティングシステムユニットにはアンドロイドオペレーティングシステム、ＩＯＳオペレーティングシステム、Ｌｉｎｕｘオペレーティングシステム、及びＴｉｚｅｎオペレーティングシステムのうちの１種がセットされている、項目２７に記載のコンピュータアセンブリ。
【図１】
0006264590.tif 000002
【図２】
0006264590.tif 000003
【図３】
0006264590.tif 000004
【図４】
0006264590.tif 000005